(57)【特許請求の範囲】
【請求項１】
第２ブラケットを、座席側に固定した第１ブラケットからの軸に回動自在に枢着し、この第２ブラケットには、前記軸を中心とした半径上に係止歯を有したセクターギヤを取付け、更に、このセクターギヤの係止歯に対向して、係止歯と係離させる係合歯を設け、かつ第１ブラケット側に設けた案内板に沿って誘導されるロックプレートを、操作板と協動するカム体で下部を押上げ、押上げを解除するようにしたリクライニングにおいて、前記第１ブラケット側に設けた案内板は、固定した案内板と、この固定案内板と対応させる案内部と、前記カム体からの張出し押圧部で作動する作動部を設けて中間部分を揺動可能に枢支した可動案内板で構成し、カム体の押上げ部でロックプレートを押上げ時に、前記張出し押圧部が作動部を動作して可動案内板の案内部が、固定案内板との間のロックプレートを挾み込むようにしたリクライニングアジャスター装置。
【発明の詳細な説明】
【０００１】
【発明の属する技術分野】
本発明は自動車用座席のリクライニングアジャスター装置の改良に関するものである。
【０００２】
【従来の技術】
自動車の座席のリクライニング装置は広く用いられ、内歯を備えたセクターギヤにロックギヤが係離する内歯式や、外歯セクターギヤに対して、一端を軸支して揺動可能としたロックギヤで係脱する外歯式としたものがある。
【０００３】
例えば、背もたれに装着した可動する第２ブラケットを座席に固定した固定する第１ブラケットからの軸に回動自在に枢着し、更に、可動する第２ブラケットには、内側に係止歯を設けたセクターギヤを固定し、更に、この係止歯と対向して、この係止歯と噛合う係合歯を設け、かつピンを植設したロックプレートを、固定する第１ブラケット側に固定した案内板に移動可能に摺嵌させ、更にロックプレートからの前記ピンを、前記軸に嵌めた操作板に設けたカム孔に嵌め、操作板の作動でロックプレートを案内板に沿って係止歯方向に移動して噛合せ、又は解除方向に移動を行わせて係止歯と係合歯の係離を行わせると同時に操作板側に設けたカム体でロックプレートを下部から押上げ噛合が外れないようにする内歯式のリクライニング装置が存在する。
【０００４】
【発明が解決しようとする課題】
前記内歯式リクライニング装置においては、固定した第１ブラケット側に取付け固定した一対の案内板の間に、係合歯を備えたロックプレートを、対向させた内歯を備えたセクターに向けて進退可能に摺嵌移動させる構成となっている。従って、構成上ロックプレートと案内板との間に僅かな間隙が必要でこの間隙が背もたれの「ガタ」を生じさせる不都合があった。
【０００５】
【課題を解決するための手段】
本発明は斯様な実情に鑑み、この課題を解決するため、ロックプレートで第２ブラケットをアジャスターするリクライニングにおいて、第１ブラケット側に設けた案内板を固定案内板と、この固定案内板と対応して案内部を備え、かつ他方に作動部を設けて中間部分を枢支した可動案内板とし、可動案内板は、作動板と協動するカム体の押上げ部でロックプレートを押上げ時に可動案内板の作動部をカム体の押圧部で動作して、可動案内板の案内部で固定案内板との間のロックプレートを押圧挾み込むようにしてロックプレートと案内板との間の間隙（ロックプレートの遊び）をなくし、背もたれの「ガタ」をなくすようにした内歯式リクライニングアジャスター装置を提供するものである。
【０００６】
【発明の実施形態】
図は、本発明に係るリクライニングアジャスター装置の一実施例を示したもので、以下図に基づいて具体的に説明する。
【０００７】
１は座席の側部に固定した第１ブラケットで、該第１ブラケット１は背部側一端に立上り部１ａを設けて、この立上り部１ａに一端を固定した軸２を横方向に張出し、更に、この軸２に背もたれを取付けた第２ブラケット３の下端側を鍔付ブッシュ２ａを介して枢着して軸２を中心に第２ブラケット３は回動できるようにしてある。
【０００８】
また軸２には、ノブ４ａを備えた操作レバー４の中間部分を嵌合し、更に、操作レバー４の先端は、操作板５からの張出片５ａからのピン６の一端を嵌める長孔４ｂを設けて連絡させ、更に、前記ピン６の他端は第１ブラケット１に屈折部を軸支したレバー７の先端に穿った孔７ａに嵌挿し、更に該レバー７の他端は、一端を第１ブラケット１に取付けた戻し用スプリング８の他端を連絡して、該スプリング８によって操作レバー４及び操作板５の動作を戻す作用を行うようにしてある。
【０００９】
前記第２ブラケット３には軸２を中心として、内側に係止歯９ａを設けたセクター９を取付け、このセクター９の係止歯９ａには、前記操作板５に設けた略三角形状のカム孔１０に遊嵌したピン１１ａを有するロックプレート１１の先端側の係合歯１１ｂを対向させ、該ロックプレート１１は、第１ブラケット１に配した案内部材Ａの間を移動できるよう操作板５のカム孔１０に遊嵌されたピン１１ａを介して、操作板５の回動で係止歯９ａに対して係合歯１１ｂを係離できるようにしてある。
【００１０】
即ち、ロックプレート１１の係合歯１１ｂが係止歯９ａから係合を外した時第２ブラケット３は軸２を中心に自由となり、係合させた時に位置は設定する。
【００１１】
前記ロックプレート１１を案内するための案内部材Ａは第１ブラケット１側に固定する固定案内板１２ａと、この固定案内板１２ａに間隔をおいて対向させて配した可動案内板１２ｂで構成され、可動案内板１２ｂは、前記固定案内板１２ａと対応させてロックプレート１１を案内する案内部ａと、後記するカム体１３からの張出押圧部１３ａで、カム体１３の回動中に押されて揺動が与えられる作動部ｂを設けて成形され、更に、この可動案内板１２ｂは中間部分を第１ブラケット１に軸１４によって揺動できるように軸支してある。
【００１２】
また前記カム体１３は、前記可動案内板１２ｂの作動部ｂを動作する張出押圧部１３ａと、張出押圧部１３ａで可動案内板１２ｂを押圧動作した時ロックプレート１１を係止方向に移動して押上げる押上げカム部１３ｂで構成されて、前記可動案内板１２ｂの作動部ｂを押圧した時、案内部ａは固定案内板１２ａとの間のロックプレート１１を挾み込むようにして確実な係止歯９ａと係合歯１１ｂの噛合を行わせてロックをするようにしてある。また、前記カム体１３は、操作板５と一体に可動できるようにして、前記軸２に操作板５と共に軸支されている。
【００１３】
即ち、背もたれを調整するとき、操作レバー４をスプリング８に抗して動作し操作板５を軸２を中心に回動すると、操作板５と一体に共同するカム体１３は、操作板５と共に図１の時計と逆方向に回動して、カム体１３の張出押圧部１３ａ及び押上げカム部１３ｂを、夫々ロックプレート１１及び可動案内板１２ｂの作動部ｂの押圧を解除すると共に、操作板５を同時に回動し、操作板５に設けたカム孔１０に遊嵌されピン１１ａを介して、ロックプレート１１を案内部材Ａに沿って移動して係止歯９ａ及び係合歯１１ｂのロックを解除することで可動第２ブラケット３は軸２を中心に自由となって、背もたれ位置を自由に選択することができる。
【００１４】
このように背もたれの第２ブラケット３を設定すると、スプリング８によって操作レバー４及び操作板５を前の位置に戻すと、ロックプレート１１は案内部材Ａによって案内されて、カム孔１０及びピン１１ａを介してロック方向に移動すると共に、カム体１３の押上げカム部１３ｂによってロックプレート１１は押上げられると共に可動案内板１２ｂの作動部ｂは、カム体１３の張出押圧部１３ａが動作して軸１４を中心に揺動し、案内部ａで固定案内板１２ａと案内部ａの間のロックプレート１１を挾み込みロックを確実にするようにしてある。
【００１５】
【発明の効果】
本発明は上記のように、ロックプレートと案内板の間に僅かな隙間が必要で、この隙間が背もたれの「ガタ」を生じるが、本発明は、操作板と一体で協動するカム体の押上げカム部と、張出押圧部によって、固定案内板と可動案内板間にあるロックプレートを案内すると共に、ロックプレート押上げ位置で、可動案内板の案内部と固定案内板によって、案内板間のロックプレートを挾み込み、案内板とロックプレート間の隙間をなくし、背もたれの「ガタ」をなくす効果がある。
【図面の簡単な説明】
【図１】本発明に係るリクライニングのアジャスター装置の一実施例を示した側面図である。
【図２】縦断正面図である。
【図３】図１の一部拡大図である。
【符号の説明】
１          第１ブラケット
１ａ        立上り部
２          軸
２ａ        鍔付ブッシュ
３          第２ブラケット
４          操作レバー
４ａ        ノブ
４ｂ        長孔
５          操作板
５ａ        張出片
６          ピン
７          レバー
８          スプリング
９          セクター
９ａ        係止歯
１０        カム孔
１１        ロックプレート
１１ａ      ピン
１１ｂ      係合歯
１２ａ      固定案内板
１２ｂ      可動案内板
１３        カム体
１３ａ      張出押圧部
１３ｂ      押上げカム部
１４        軸
【図１】
0003609496.tif 000002
【図２】
0003609496.tif 000003
【図３】
0003609496.tif 000004